(57)【要約】【課題】外部から電力などエネルギーの供給を持続的に受けることなく、永久磁石の磁力を用いて比較的に大きな動力を継続的に発生可能な動力発生装置を提供する。【解決手段】直動部材（１０）が永久磁石（１１，１２）の１個分だけ直線移動すると、揺動部材（２０）が、回転軸（２）の一方の側で直動部材（１０）の上面（１０ａ）に磁力で当接する第１の当接位置から、回転軸（２）の他方の側で直動部材（１０）の上面（１０ａ）に磁力で当接する第２の当接位置まで揺動（回転移動）する。直動部材（１０）が上記の永久磁石（１１，１２）の１個分の移動を連続的に行うことで、揺動部材（２０）の第１の当接位置と第２の当接位置との間での揺動が連続的に繰り返され、その際に揺動部材（２０）に磁力による回転力が付与されることで、当該回転力による動力が回転軸（２）から外部に取り出される。【選択図】図３
2013074780.tif 000002
【特許請求の範囲】
【請求項１】
直線方向に沿って移動可能に設置された直動部材（１０）と、
前記直動部材（１０）に対してその移動方向に対する側部に配置されて、回転軸（２）の周りを回転方向に沿って揺動移動可能に設置された揺動部材（２０）とを備え、
前記直動部材（１０）における前記揺動部材（２０）側の側面（１０ａ）には、複数の永久磁石（１１）のＮ極とＳ極とが前記直線方向に沿って交互に配列されており、
前記揺動部材（２０）における前記回転方向の一方の側面（２０ａ）と他方の側面（２０ｂ）とにはそれぞれ、複数の永久磁石（１２）のＮ極とＳ極とが交互に配列されており、
前記揺動部材（２０）は、前記回転軸（２）の一方の側で前記直動部材（１０）の前記側面（１０ａ）に前記永久磁石（１１，１２）の吸着力で当接する第１の当接位置と、前記回転軸（２）の他方の側で前記直動部材（１０）の前記側面（１０ａ）に前記永久磁石（１１，１２）の吸着力で当接する第２の当接位置との間で揺動可能であって、
前記直動部材（１０）を前記各永久磁石（１１，１２）の１個分移動させるごとに、前記第１又は第２の当接位置の前記揺動部材（２０）が前記永久磁石（１１，１２）の反発力で該第１又は第２の当接位置を離間して前記第２又は第１の当接位置に吸着状態で当接する動作が行われ、
前記直動部材（１０）に前記各永久磁石（１１，１２）の１個分の移動を連続的に行わせることで、前記揺動部材（２０）が前記第１の当接位置と前記第２の当接位置との間での前記揺動を連続的に繰り返し、
前記揺動部材（２０）に付与される前記永久磁石（１１，１２）の磁力による回転力を前記回転軸（２）から外部に取り出すように構成した
ことを特徴とする動力発生装置（１）。
【請求項２】
前記回転軸（２）における前記揺動部材（２０）の両側にはそれぞれ、前記回転軸（２）の一方向の回転のみを伝達可能な第１のワンウェイクラッチ（４）と、前記回転軸（２）の他方向の回転のみを伝達可能な第２のワンウェイクラッチ（５）とが設けられており、
前記揺動部材（２０）が前記第１の当接位置から前記第２の当接位置へ移動する際には、前記第１のワンウェイクラッチ（４）でその回転力が取り出され、
前記揺動部材（２０）が前記第２の当接位置から前記第１の当接位置へ移動する際には、前記第２のワンウェイクラッチ（５）でその回転力が取り出されることを特徴とする請求項１に記載の動力発生装置（１）。
【請求項３】
前記直動部材（１０）に前記各永久磁石（１１，１２）の１個分の移動を連続的に行わせるための動力として、前記回転軸（２）から取り出された動力の一部を用いるように構成したことを特徴とする請求項１又は２に記載の動力発生装置（１）
【発明の詳細な説明】
【技術分野】
【０００１】
本発明は、永久磁石の磁力を用いて動力を発生させるように構成した動力発生装置に関する。
【背景技術】
【０００２】
従来、一般的な動力発生装置として、例えば特許文献１に示すように、電動機（モータ）がある。電動機では、ステータ側に配置された複数の電磁石への電流供給を順次切り換えて回転磁界を発生させ、ロータがステータ側の回転磁界に追従することでトルクが取り出されるように構成されている。このように、電動機はステータとロータのいずれかに電磁石が用いられており、外部からの電力の供給を受けて動力を発生するように構成されている。したがって、電力の供給を受けられない環境では動力を発生することができない。
【０００３】
また、従来の代表的な他の動力発生装置として、例えば特許文献２に示すように、内燃機関がある。内燃機関は、ガソリンや軽油などをシリンダ内で燃焼させることで発生する爆発力でピストンを往復動させ、これをクランクシャフトの回転に変換して回転動力を得るようになっている。しかしながら、内燃機関はガソリンなどの化石燃料を燃焼させて消費するため、資源枯渇及びＣＯ２やＮＯｘなどの有害物質排出の課題を抱えている。
【先行技術文献】
【特許文献】
【０００４】
【特許文献１】特開平８−１２６２８９号公報
【特許文献２】特開平６−３４６７０１号公報
【発明の概要】
【発明が解決しようとする課題】
【０００５】
本発明は上述の点に鑑みてなされたものであり、その目的は、従来の一般的な動力発生装置と比較して、簡単な構成でありながら、外部から電力などのエネルギーの供給を持続的に受けることなく、かつ有害物質などの排出のおそれもなく、永久磁石の磁力を用いて非常に大きな動力を発生させることができる動力発生装置を提供することにある。
【課題を解決するための手段】
【０００６】
上記の課題を解決するため、本発明にかかる動力発生装置（１）は、直線方向に沿って移動可能に設置された直動部材（１０）と、直動部材（１０）に対してその移動方向に対する側部に配置されて、回転軸（２）の周りを回転方向に沿って揺動移動可能に設置された揺動部材（２０）とを備え、直動部材（１０）における揺動部材（２０）側の側面（１０ａ）には、複数の永久磁石（１１）のＮ極とＳ極とが直線方向に沿って交互に配列されており、揺動部材（２０）における回転方向の一方の側面（２０ａ）と他方の側面（２０ｂ）とにはそれぞれ、複数の永久磁石（１２）のＮ極とＳ極とが交互に配列されており、揺動部材（２０）は、回転軸（２）の一方の側で直動部材（１０）の側面（１０ａ）に永久磁石（１１，１２）の吸着力で当接する第１の当接位置と、回転軸（２）の他方の側で直動部材（１０）の側面（１０ａ）に永久磁石（１１，１２）の吸着力で当接する第２の当接位置との間で揺動可能であって、直動部材（１０）を各永久磁石（１１，１２）の１個分移動させるごとに、第１又は第２の当接位置の揺動部材（２０）が永久磁石（１１，１２）の反発力で該第１又は第２の当接位置を離間して第２又は第１の当接位置に吸着状態で当接する動作が行われ、直動部材（１０）に各永久磁石（１１，１２）の１個分の移動を連続的に行わせることで、揺動部材（２０）が第１の当接位置と第２の当接位置との間での揺動を連続的に繰り返し、揺動部材（２０）に付与される永久磁石（１１，１２）の磁力による回転力を回転軸（２）から外部に取り出すように構成したことを特徴とする。
【０００７】
本発明にかかる動力発生装置によれば、上記第１又は第２の当接位置で、直動部材側の永久磁石のＮ極又はＳ極が揺動部材側の永久磁石のＳ極又はＮ極に対向してこれらが吸着接触している状態から、直動部材が各永久磁石の１個分だけ直線方向へ移動すると、直動部材側のＮ極又はＳ極が揺動部材側のＮ極又はＳ極に対向してそれらが磁力で反発する状態となる。その瞬間、揺動部材が第１又は第２の当接位置を離れて回転軸の反対側の第２又は第１の当接位置へ回転移動（揺動）する。そして、第２又は第１の当接位置で、直動部材側のＮ極又はＳ極が揺動部材側のＳ極又はＮ極に吸着状態で当接する。この動作において、第１又は第２の当接位置で揺動部材が直動部材から離間する際に永久磁石の磁力による反発力で揺動部材に強大な回転力が付与され、かつ、第２又は第１の当接位置で揺動部材が直動部材に当接する際に永久磁石の磁力による吸着力で再度揺動部材に強大な回転力が付与される。
【０００８】
特にこの装置では、第１の当接位置及び第２の当接位置で直動部材側の永久磁石に揺動部材側の永久磁石が完全に接触（接合）する完全接触型の構造を採用したことで、永久磁石同士が接触する直前から接触するまでの間、及び接触している永久磁石同士が離間した直後に強大な吸着力及び反発力が発揮される。したがって、従来の永久磁石と電磁石が非接触で磁力を及ぼし合って相対移動する構造の電動機などと比較して、格段に大きな回転力（トルク）を取り出すことが可能となる。
【０００９】
さらに、直動部材を直線方向へ継続的に移動させることで、上記第１の当接位置と第２の当接位置との間での揺動部材の揺動を連続的に行わせることができる。これによって、直動部材に対する揺動部材の吸着が繰り返されることで、その度に永久磁石の吸着当接・反発離間による強力な回転力が生み出される。したがって、当該回転力を外部に取り出すことで、様々な動力機械・装置の動力源としての利用が可能となる。また、当該回転力で発電機を駆動すれば、電力を発生させることも可能となる。
【００１０】
また、この動力発生装置では、回転軸（２）上における揺動部材（２０）の両側にはそれぞれ、回転軸（２）の一方向の回転のみを伝達可能な第１のワンウェイクラッチ（４）と、回転軸（２）の他方向の回転のみを伝達可能な第２のワンウェイクラッチ（５）とが設けられており、揺動部材（２０）が第１の当接位置から第２の当接位置へ移動する際には、第１のワンウェイクラッチ（４）でその回転力が取り出され、揺動部材（２０）が第２の当接位置から第１の当接位置へ移動する際には、第２のワンウェイクラッチ（５）でその回転力が取り出されるようにするとよい。
【００１１】
さらに、この動力発生装置では、直動部材（１０）に各永久磁石（１１，１２）の１個分の移動を連続的に行わせるための動力として、回転軸（２）から取り出された揺動部材（２０）の回転方向の移動による動力の一部を用いるように構成するとよい。
【００１２】
このように構成することで、動作開始時にのみ外力で直動部材を移動させれば、直動部材及び揺動部材の上記一連の動作が安定した以降は、外部からエネルギーの供給を受けることなく、永久磁石の磁力によって連続的に運転を継続して上記の回転動力を取り出し続けることが可能となる。
なお、上記で括弧内に記した参照符号は、後述する実施形態における対応する構成要素の符号を参考のために例示したものである。
【発明の効果】
【００１３】
本発明にかかる動力発生装置によれば、簡単な構成で、外部から電力や燃料などによるエネルギーの供給を持続的に受けることなく、永久磁石の磁力を用いて非常に大きな動力を継続的に発生させることができる。
【図面の簡単な説明】
【００１４】
【図１】本発明にかかる動力発生装置（第１実施形態）の基本的構成を示す概略の斜視図である。
【図２】動力発生装置の要部を示す概略の側面図である。
【図３】動力発生装置の動作を説明するための図で、（ａ）は、揺動部材が回転軸の一方の側（左側）で直動部材の上面に当接している状態、（ｂ）は、揺動部材が回転軸の他方の側（右側）で直動部材の上面に当接している状態を示す図である。
【図４】本発明にかかる動力発生装置（第２実施形態）の基本的構成を示す概略図である。
【発明を実施するための形態】
【００１５】
以下、添付図面を参照して本発明の実施形態を詳細に説明する。
〔第１実施形態〕
図１は、本発明にかかる動力発生装置の基本的構成を示す概略の斜視図である。また、図２は、動力発生装置の要部を示す概略の側面図である。また、図３は、動力発生装置の動作を説明するための図である。これらの図に示すように、本発明の一実施形態にかかる動力発生装置１は、直線方向に進退移動可能に設置された直動部材１０と、該直動部材１０に対してその進退移動方向に対する側部に配置されて、回転軸２の中心軸周りで該回転軸２と共に回転方向に沿って移動（中心軸周りを揺動）可能に設置された揺動部材２０とを備えている。
【００１６】
直動部材１０は、直線棒状の角材で、その一方の側面（図示の上側の面、以下「上面」と記す。）１０ａには、長手方向に沿って複数の永久磁石１１が並べて取り付けられている。永久磁石１１は、直動部材１０の長手方向に沿ってその外側の面（上面）にＮ極とＳ極が交互に並ぶように一つずつ上下面の向きを交代させて配列されている。これにより、直動部材１０の上面１０ａには、永久磁石１１のＮ極とＳ極とが交互に配列されている。
【００１７】
一方、揺動部材２０は、直動部材１０と同様、直線棒状の角材で、直動部材１０よりも長さ寸法が短くなっている。そして、揺動部材２０は、その一端が回転軸２に固着されており、該回転軸２と一体にその中心軸周りを回転可能となっている。回転軸２は、直動部材１０の上面１０ａ側において直動部材１０の長手方向に対して直交する方向（図２では、紙面手前側から奥側へ向かう方向）に延伸している。
【００１８】
そして、揺動部材２０の一方の側面（図２における左側の面、以下「左側面」と記す。）２０ａと他方の側面（図２における右側の面、以下「右側面」と記す。）２０ｂにはそれぞれ、複数の永久磁石１２が並べて取り付けられている。永久磁石１２は、揺動部材２０の長手方向に沿ってその外側の面にＮ極とＳ極が交互に並ぶように一個ずつ表裏を交代させて隣接して配列されている。これにより、揺動部材２０の左側面２０ａには、その回転軸２側の根元近傍から先端まで永久磁石１２のＮ極とＳ極が交互に配列されている。同様に、揺動部材２０の右側面２０ｂにも、複数の永久磁石１２が並べて取り付けられている。永久磁石１２も、揺動部材２０の長手方向に沿ってその外側の面にＮ極とＳ極が交互に並ぶように一個ずつ表裏を交代させて隣接して配列されている。これにより、揺動部材２０の右側面２０ｂにも、その回転軸２側の根元近傍から先端まで永久磁石１２のＮ極とＳ極が交互に配列されている。
【００１９】
なお、図２及び図３に示すＮ，Ｓの表記は、図示の都合上、直動部材１０又は揺動部材２０に取り付けた永久磁石１１，１２の内側（内面側）に記載しているが、これらＮ，Ｓの磁極はいずれも、各永久磁石１１，１２における表面側（外側）の磁極を示すものである。
【００２０】
直動部材１０の上面１０ａに取り付けた各永久磁石１１の幅寸法（直動部材１０の長手方向の寸法）は、いずれも同一の寸法になっており、かつ、揺動部材２０の両側面２０ａ，２０ｂに取り付けた各永久磁石１２の幅寸法（揺動部材２０の長手方向の寸法）は、いずれも同一の寸法になっている。さらに、直動部材１０に取り付けた各永久磁石１１の幅寸法と、揺動部材２０に取り付けた各永久磁石１２の幅寸法とは、互いに同一の寸法になっている。すなわち、直動部材１０と揺動部材２０に取り付けた各永久磁石１１，１２は、すべて同一の幅寸法である。
【００２１】
そして、直動部材１０は、スライダーなどの直線移動機構３０によってその長手方向に沿って直線状に進退移動可能に設置されている。直線移動機構３０は、直動部材１０をスライド方向に沿って進退移動可能に支持するレール部材３１（図１参照）を備えており、該レール部材３１に直動部材１０をスライド移動可能に係合させた構成である。なお、上記のスライド機構３０は一例であって、直動部材１０を直線移動させるための機構は、他の機構であってもよい。
【００２２】
また、直動部材１０に対してスライド方向の外力を付与するためのアクチュエータ機構３５が設けられている。アクチュエータ機構３５は、例えば、シリンダ内に設置したピストンの往復動作によって直線状に進退移動可能なロッド３５ａを備えており、該ロッド３５ａの先端が直動部材１０の一端に取り付けられている。したがって、直動部材１０は、アクチュエータ機構３５からその長手方向（同図の矢印方向）に作用する外力を受けることで、同方向に沿って直線状にスライド移動する。
【００２３】
なお、図示は省略するが、上記のアクチュエータ機構３５に代えて、回転軸２から取り出された動力で回転するカムと、該カムで押圧されて直線移動するロッドとを備えた機構などを採用することも可能である。その場合は、カムが半回転する際にロッドを押し出して直動部材１０を往動させ、カムがさらに半回転して元の位置に戻る際にロッドを引き戻して（あるいは逆向きに押し出して）直動部材１０を復動させるように構成するとよい。
【００２４】
あるいは、上記のアクチュエータ機構３５に代えて、回転軸２から取り出された動力で発電機を駆動することで発電を行い、当該発電した電力で作動するモータなどの機構で直動部材１０を移動させるように構成することも可能である。
【００２５】
回転軸２は、図１に示すように、その両端が直動部材１０及び揺動部材２０の長手方向に対する両側それぞれに設置した一対の支持具３，３で回転自在に支持されている。これにより、回転軸２は、その軸方向を直動部材１０の長手方向に対して直交する横方向（水平方向）に向けた状態で、直動部材１０の上面１０ａの真上位置に支持されている。
【００２６】
揺動部材２０は、図３（ａ）に示すように、直動部材１０の上方において、回転軸２を中心に、その左側面２０ａが直動部材１０の上面１０ａと平行な状態で面接触（当接）する位置（第１の当接位置）から、図３（ｂ）に示すように、その右側面２０ｂが直動部材１０の上面１０ａと平行な状態で面接触（当接）する位置（第２の当接位置）まで、１８０度の範囲を回転軸２周りに揺動（回動）可能となっている。
【００２７】
回転軸２における揺動部材２０の一方の側（図に示す奥側）には、揺動部材２０の一方向への回転（図に示す時計回り方向の回転）のみを伝達可能な第１のワンウェイクラッチ４が取り付けられている。第１のワンウェイクラッチ４によって、回転軸２における揺動部材２０より奥側の端部２ａでは、揺動部材２０の一方向（時計回り方向）の回転のみがその先（第１のワンウェイクラッチ４より下流側）へ伝達されるようになっている。一方、回転軸２における揺動部材２０の他方の側（図に示す手前側）には、揺動部材２０の他方向への回転（図に示す反時計回り方向の回転）のみを伝達可能な第２のワンウェイクラッチ５が取り付けられている。第２のワンウェイクラッチ５によって、回転軸２における揺動部材２０よりも手前側の端部２ｂでは、揺動部材２０の他方向（反時計回り方向）の回転のみがその先（第２のワンウェイクラッチ５より下流側）へ伝達されるようになっている。
【００２８】
さらに、回転軸２の両端２ａ，２ｂの下流側には、該両端２ａ，２ｂからの回転力が入力される動力伝達部４０が設けられている。この動力伝達部４０は、公知の動力伝達機構の組み合わせであってよく、回転軸２の一方の端部２ａから取り出された一方向（時計回り方向）の回転力Ｆ１と、回転軸２の他方の端部２ｂから取り出された他方向（反時計回り方向）の回転力Ｆ２とのいずれかの回転力の向きを逆向きに変換して回転力Ｆ１，Ｆ２の向きを揃えるための逆転機構と、向きが揃えられた両回転力Ｆ１，Ｆ２を受けて回転するフライホイールを備えたフライホイール機構と、フライホイール機構から出た回転力を適宜に分配して伝達するための分配伝達機構などを含んで構成されていてよい。上記の逆転機構や分配伝達機構は、詳細な図示及び説明を省略するが、例えば複数の歯車を組み合わせた歯車組で構成することができる。
【００２９】
動力伝達部４０から出力された一部の動力Ｆ３は、直動部材１０をスライド移動させるためのアクチュエータ機構３５に入力されて、該アクチュエータ機構３５を駆動するようになっている。また、動力伝達部４０から出力された他の一部の動力Ｆ４は、被駆動装置５０に伝達されて、該被駆動装置５０を動作させるようになっている。ここでの被駆動装置５０としては、外部から動力の入力を受けて作動する公知の装置を使用することができる。被駆動装置５０の一例として、従来の電動機（モータ）などの動力発生装置を駆動源として駆動していた各種の装置や、発電機などが挙げられる。
【００３０】
次に、上記構成の動力発生装置１の動作について説明する。図３（ａ）に示すように、揺動部材２０は、静止状態で回転軸２のいずれか一方の側（ここでは、左側の場合を例に説明する。）に位置している。この状態では、直動部材１０の上面１０ａに配列した複数の永久磁石１１のＮ極、Ｓ極それぞれと、揺動部材２０の左側面２０ａに配列した複数の永久磁石１２のＳ極、Ｎ極それぞれとが互いに吸着している。これにより、揺動部材２０は、その左側面２０ａが直動部材１０の上面１０ａに永久磁石１１，１２の吸着力で当接した状態となっている。以下、直動部材１０及び揺動部材２０のこの位置を第１の当接位置という。
【００３１】
第１の当接位置において、直動部材１０に外力を加えることで、直動部材１０をスライド方向へ移動させる。すると、直動部材１０の上面１０ａに配列した複数の永久磁石１１も同方向へ移動する。これにより、揺動部材２０のＮ極、Ｓ極の永久磁石１２それぞれと吸着していた直動部材１０のＳ極、Ｎ極の永久磁石１１が、隣接するＮ極、Ｓ極の永久磁石１２に対向する位置へスライド移動する。その後、直動部材１０のＮ極、Ｓ極の永久磁石１１それぞれが、揺動部材２０のＮ極、Ｓ極の永久磁石１２それぞれに完全に対向する位置となる。
【００３２】
その瞬間（永久磁石１１，１２の磁力によっては、実際にはその直前の場合もありうる。）、それまで直動部材１０の上面１０ａに吸着していた揺動部材２０が直動部材１０の上面１０ａから離間して、回転軸２を中心に時計回りに揺動（回動）する。このとき、揺動部材２０には、永久磁石１１と永久磁石１２の完全接触状態からの反発力による強大な回転力が付与される。そして、揺動部材２０が回転軸２を中心に１８０度揺動したとき、図３（ｂ）に示すように、揺動部材２０の右側面２０ｂに配列したＳ極、Ｎ極の永久磁石１２が、回転軸２の反対側（右側）で待ち受けている直動部材１０の上面１０ａに配列したＮ極、Ｓ極の永久磁石１１に吸着する。これにより、揺動部材２０の右側面２０ｂが直動部材１０の上面１０ａに当接する。この直前にも、揺動部材２０には、永久磁石１１と永久磁石１２の吸着力で互いが完全接触することに伴う強大な回転力が付与される。そして、揺動部材２０の右側面２０ｂが直動部材１０の上面１０ａに当接する際には、揺動部材２０は永久磁石１１、１２の強力な磁力によって衝撃的に（衝突に近い状態で）当接する。以下、揺動部材２０の右側面２０ｂが直動部材１０の上面１０ａに当接したこの位置を第２の当接位置という。
【００３３】
特に、本実施形態の動力発生装置１では、揺動部材２０の回転軸２に近い根元側近傍では、直動部材１０側の永久磁石１１と揺動部材２０側の永久磁石１２との距離が非常に近いうえ、第１、第２の当接位置で永久磁石１１，１２同士が実際に当接（完全接触）するように構成しているので、それら永久磁石１１，１２同士が吸着・離間する際の磁力による吸着力及び反発力で、非常に大きな回転力（トルク）を得ることができる。
【００３４】
そして、揺動部材２０が上記第１の当接位置から第２の当接位置へ揺動する際、第１のワンウェイクラッチ４が係合することで、回転軸２の一方の端部２ａから揺動部材２０の回転力Ｆ１が動力伝達部４０に伝達される。動力伝達部４０では、この回転力Ｆ１を受けてフライホイールが回転する。
【００３５】
続けて、さらに直動部材１０をスライド方向へ移動させて、再び、直動部材１０の各永久磁石１１のＮ極、Ｓ極と、揺動部材２０の各永久磁石１２のＳ極、Ｎ極とが入れ替わる位置まで（すなわち、永久磁石１１，１２の１個分の寸法だけ）移動させる。なおこの場合に直動部材１０をスライド移動させる方向は、永久磁石１１，１２の１個分の移動であれば、進行方向（左方向）と退行方向（右方向）のどちらでも構わない。そうすると今度は、それまで回転軸２の右側で直動部材１０の上面１０ａに吸着していた揺動部材２０が、左周り（反時計周り）に１８０度の範囲を揺動して元の位置に戻り、回転軸２の左側で直動部材１０の上面１０ａに吸着する。すなわち、揺動部材が第２の当接位置から第１の当接位置まで揺動する。このときにも、揺動部材２０には、永久磁石１１と永久磁石１２の完全接触状態からの反発力、及び完全接触状態への吸着力による強大な回転力が付与される。
【００３６】
揺動部材２０が上記第１の当接位置から第２の当接位置へ揺動する際、今度は、第２のワンウェイクラッチ５が係合することで、回転軸２の他方の端部２ｂから揺動部材２０の回転力Ｆ２が動力伝達部４０に伝達される。動力伝達部４０では、この回転力Ｆ２を受けてフライホイールが更に回転する。
【００３７】
ここまでの動作で、揺動部材２０が回転軸２を中心に一方の側から他方の側まで１８０度の範囲を一往復移動する１サイクルの動作が完了する。当該１サイクルの動作で、磁石１１，１２の〔反発による離間〕→〔吸着による接触〕→〔反発による離間〕→〔吸着による接触〕と４回分の磁力による回転力が揺動部材２０に加えられる。
【００３８】
上記の工程を繰り返すことで、永久磁石１１，１２の磁力によって、揺動部材２０が、回転軸２の左側で直動部材１０の上面１０ａに吸着した第１の当接位置と、回転軸２の右側で直動部材１０の上面１０ａに吸着した第２の当接位置との間で、１８０度の範囲を繰り返し往復移動（揺動）する。
【００３９】
以上説明したように、この動力発生装置１では、第１又は第２の当接位置で揺動部材２０が直動部材１０から離間する際に永久磁石１１，１２の反発力で揺動部材２０に強大な回転力が付与され、かつ、第２又は第１の当接位置で揺動部材２０が直動部材１０に吸着する際に永久磁石１１，１２の吸着力で揺動部材２０に再度強大な回転力が付与される。
【００４０】
特に、この動力発生装置１では、第１の当接位置と第２の当接位置で直動部材１０側の永久磁石１１に対して揺動部材２０側の永久磁石１２が完全に接触する完全接触型の構造を採用したことで、永久磁石１１，１２が当接する瞬間、及び当接している永久磁石１１，１２が離間する瞬間に磁力による強大な吸着力及び反発力が発揮される。したがって、従来の永久磁石と電磁石が非接触で磁力を及ぼし合って相対移動する構造の電動機などと比較して、格段に大きな回転力（トルク）を取り出すことが可能となる。
【００４１】
さらに、直動部材１０を直線方向へ継続的に移動させることで、第１の当接位置と第２の当接位置との間での揺動部材２０の揺動を連続的に行わせることができる。これによって、直動部材１０に対する揺動部材２０の吸着が繰り返されることで、その度に永久磁石１１，１２の吸着接触・反発離間による強力な回転力が生み出される。したがって、当該回転力を外部に取り出すことで、様々な動力機械・装置の動力源としての利用が可能となる。また、当該回転力で発電機を駆動すれば、電力を生み出すことも可能となる。
【００４２】
さらにこの場合、動力伝達部４０は、回転軸２から出力された回転動力の一部を直動部材１０に作用させる外力として伝達する。これにより、回転軸２から出力された動力の一部を用いて直動部材１０を直線方向にスライド移動させ、残りの動力を被駆動装置５０の動力源として取り出すことができる。したがって、直動部材１０の動作開始時にのみ直動部材１０に外力を加えれば、その後、直動部材１０と揺動部材２０の動作が安定した後は、永久磁石１１，１２の磁力で揺動部材２０の揺動を繰り返し行わせることが可能となる。これにより、永久磁石１１，１２の磁力で回転動力を取り出すことが可能な動力発生装置１を構成することができる。
【００４３】
〔第２実施形態〕
次に、本発明の第２実施形態について説明する。なお、第２実施形態の説明及び対応する図面においては、第１実施形態と同一又は相当する構成部分には同一の符号を付し、以下ではその部分の詳細な説明は省略する。また、以下で説明する事項以外の事項については、第１実施形態と同じである。
【００４４】
図４は、本発明の第２実施形態にかかる動力発生装置１−２の構成を示す概略図である。第１実施形態の動力発生装置１では、直動部材１０が永久磁石１１，１２の１個分又は数個分の長さ寸法を往復移動するように構成していたのに対して、図４に示す第２実施形態の動力発生装置１−２が備える直動部材１０−２は、一例に配列した永久磁石１１が環状に転動することで、直動部材１０−２の上面１０ａ側を一方向にのみ進行するように構成している。この場合、回転軸２から取り出された回転動力の一部を直動部材１０−２に配列した永久磁石１１を転動させるための回転力として利用するように構成すればよい。
【００４５】
図４に示すような構造でも、直動部材１０−２の永久磁石１１を直線方向へ継続的に移動させることで、第１の当接位置と第２の当接位置との間での揺動部材２０の揺動を連続的に行わせることができる。これによって、直動部材１０−２に対する揺動部材２０の当接・離間が繰り返されることで、その度に永久磁石１１，１２の吸着力・反発力による強力な回転力が生み出される。
【００４６】
以上、本発明の実施形態を説明したが、本発明は上記実施形態に限定されるものではなく、特許請求の範囲、及び明細書と図面に記載された技術的思想の範囲内において種々の変形が可能である。例えば、上記実施形態では、揺動部材２０の揺動角度（回転角度）が１８０度である場合を説明したが、揺動部材２０の揺動角度は１８０度には限らず、他の角度であってもよい。具体例を挙げると、直動部材１０（１０−２）を二個設け、それぞれを回転軸２の両側に互いの側面（上面）が略Ｖ字型を成すように配置する。そして、第１の当接位置で揺動部材２０の左側面が一方の直動部材１０の面に吸着状態で当接し、第２の当接位置で揺動部材２０の右側面が他方の直動部材１０の面に当接するようにする。これにより、両方の直動部材１０の間で揺動部材２０が揺動するように構成できる。その場合、揺動部材２０の揺動角度は１８０度以下、場合によっては鋭角になるように構成することもできる。
【００４７】
また、上記実施形態では、１個の直動部材１０に対して１組の揺動部材２０及び回転軸２を設けた場合を示したが、これ以外にも、１個の直動部材１０に対して複数組の揺動部材２０及び回転軸２を設けることも可能である。具体例を挙げると、図１及び図２に示す動力発生装置１において、直動部材１０の上面１０ａだけでなく下面にも永久磁石１１を配列し、該下面に対向する位置に他の揺動部材及び回転軸を設けることで、装置を上下対称の構成とする。これによれば、１個の直動部材１０の直線動作で、同時に２個の揺動部材を揺動させることができ、２本の回転軸から動力を取り出すことができる。
【符号の説明】
【００４８】
１，１−２    動力発生装置
２    回転軸
２ａ    端部（奥側の端部）
２ｂ    端部（手前側の端部）
３，３    支持具
４    第１のワンウェイクラッチ
５    第２のワンウェイクラッチ
１０    直動部材
１０ａ    上面（一方の側面）
１１    永久磁石
１２    永久磁石
２０    揺動部材
２０ａ    左側面（一方の側面）
２０ｂ    右側面（他方の側面）
３０    直線移動機構（スライド機構）
３１    レール部材
３５    アクチュエータ機構
３５ａ    ロッド
４０    動力伝達部
５０    被駆動装置
【図１】
2013074780.tif 000003
【図２】
2013074780.tif 000004
【図３】
2013074780.tif 000005
【図４】
2013074780.tif 000006